(57)【特許請求の範囲】
【請求項１】
光を出射する出光面、前記出光面に対向する反射面、および前記出光面に対する一側面であって光が入光される入光面を含む導光板と、前記導光板の出光面に対向して配置される液晶パネルと、前記入光面に光を入射させる複数の光源と、を含み、
前記導光板の前記入光面からみて前記複数の光源のうち隣り合う２つの光源の中間部の前方の出光面あるいは前記反射面上に、それぞれが前記入光面に交差する第１の方向に延びる線状突起である複数の局所域線状突起が並んで設けられ、
前記局所域線状突起は、前記導光板内の光の前記第１の方向と直交する成分を弱めるよう反射し、
前記出光面上の領域であって、前記入光面より一定以上離れかつ前記局所域線状突起が配置されない領域にそれぞれ前記第１の方向に延びる線状突起である複数の広域線状突起が並んで設けられ、
前記広域線状突起は、前記導光板内の光の前記第１の方向と直交する成分を弱めかつその弱める度合いが前記局所域線状突起に比べて小さくなるように反射し、
前記局所域線状突起の端のうち前記入光面に遠い端は、表示領域に対応する前記出光面の出光領域の前記入光面から遠い端より当該入光面に近い位置に設けられ、
前記複数の局所域線状突起のうち前記隣り合う２つの光源から最も遠いものの前記入光面に遠い端と前記入光面との距離は、前記複数の局所域線状突起のうち前記隣り合う２つの光源のいずれかに最も近いものの前記入光面に遠い端と前記入光面との距離より大きく、
前記広域線状突起の少なくとも一部は前記出光面の出光領域から前記入光面に向かって延び、かつ前記隣り合う２つの光源から最も遠い広域線状突起は、前記２つの光源のいずれかに最も近い広域線状突起より入光面から離れている、
ことを特徴とする液晶表示装置。
【請求項２】
前記広域線状突起および前記局所域線状突起の断面は円弧状であり、
前記局所域線状突起の中心角は前記広域線状突起の中心角より大きい、
ことを特徴とする請求項１に記載の液晶表示装置。
【請求項３】
前記広域線状突起および前記局所域線状突起の断面はＶ字状であり、
前記局所域線状突起と前記出光面とのなす角は、前記広域線状突起と前記出光面とのなす角より大きい、
ことを特徴とする請求項１に記載の液晶表示装置。
【請求項４】
前記複数の局所域線状突起のうち前記隣り合う２つの光源から最も遠いものの長さは、前記複数の局所域線状突起のうち前記２つの光源のいずれかに最も近いものの長さより大きい、
ことを特徴とする請求項１から３のいずれかに記載の液晶表示装置。
【請求項５】
前記局所域線状突起は、前記出光面のうち前記出光領域と前記入光面との間に配置される、
ことを特徴とする請求項１から４のいずれかに記載の液晶表示装置。
【請求項６】
液晶表示装置に用いられる導光板であって、
表示に用いられる光を出射させる出光領域を含む出光面、前記出光面に対向する反射面、および前記出光面に対する一側面であって複数の光源から光が入光される入光面を含み、
前記入光面からみて前記複数の光源のうち隣り合う２つの光源の中間部の前方の出光面あるいは前記反射面上に、それぞれが前記入光面に交差する第１の方向に延びる線状突起である複数の局所域線状突起が並んで設けられ、
前記局所域線状突起は、前記入光された光の前記第１の方向と直交する成分を弱めるよう反射し、
前記出光面上の領域であって、前記入光面より一定以上離れかつ前記局所域線状突起が配置されない領域にそれぞれ前記第１の方向に延びる線状突起である複数の広域線状突起が並んで設けられ、
前記広域線状突起は、前記導光板内の光の前記第１の方向と直交する成分を弱めかつその弱める度合いが前記局所域線状突起に比べて小さくなるように反射し、
前記局所域線状突起の端のうち前記入光面に遠い端は、出光領域の前記入光面から遠い端より当該入光面に近い位置に設けられ、
前記複数の局所域線状突起のうち前記隣り合う２つの光源から最も遠いものの前記入光面に遠い端と前記入光面との距離は、前記複数の局所域線状突起のうち前記隣り合う２つの光源のいずれかに最も近いものの前記入光面に遠い端と前記入光面との距離より大きく、
前記広域線状突起の少なくとも一部は前記出光面の出光領域から前記入光面に向かって延び、かつ前記隣り合う２つの光源から最も遠い広域線状突起は、前記２つの光源のいずれかに最も近い広域線状突起より入光面から離れている、
ことを特徴とする導光板。
【発明の詳細な説明】
【技術分野】
【０００１】
本発明は液晶表示装置および導光板に関する。
【背景技術】
【０００２】
コンピュータ等の情報通信端末やテレビ受像機の表示デバイスとして、液晶表示装置が広く用いられている。液晶表示装置は、液晶分子の配向を変えることにより、光の透過率を変化させて、表示させる画像を制御する。液晶自体は発光しないため、液晶表示装置には太陽光や室内の光を反射させて利用する反射型のものや、バックライトと呼ばれる照明装置を使用するものがある。バックライトを用いる方式としては、主に、液晶表示面の裏側に光源を有する直下ライト式と、側方から照らした光を反射させて液晶パネルの表示面を照らすサイドライト式とが知られている。近年はこのバックライトの光源としてＬＥＤ（発光ダイオード）を用いることが多くなっている。特許文献１にはＬＥＤを用いたバックライトが記載されている。
【０００３】
ＬＥＤを用いたサイドライト式のバックライトでは、液晶パネルの表示面の側方から入力される光を表示面の方向に反射する導光板という部品が用いられる。図１３は、従来の導光板２００の一例を示す図である。導光板２００は液晶パネルに向けて光を出射する出光面２２０を有する。導光板は出光面２２０の方向からみると矩形であり、その対向する短辺のうち一辺に対応する側面である入光面２１０に接して、複数のＬＥＤ光源６０が設けられている。複数のＬＥＤ光源６０は、導光板のその一辺の延びる方向に並んでいる。出光面２２０に対向する面が反射面であり、ＬＥＤ光源６０から入射し導光板２００内を進む光の一部を出光面２２０の外向き法線に近い方向に向けて反射する。反射面は、出光面２２０から出射する光の先の矩形の長辺方向のむらを軽減させるような構造となっている。
【０００４】
出光面２２０上には入光面２１０側の一辺から一定間隔を置いた位置から入光面２１０に対向する面側の一辺に向かって延びる複数の線状突起２２１が形成されている。線状突起２２１の断面形状は例えば円弧状やＶ字状である。光がこの線状突起２２１の位置で反射する際に、その線状突起２２１は線状突起２２１の延びる方向と直交する向きの光の成分を弱め、出光面２２０から出射する光の方向を揃える。
【先行技術文献】
【特許文献】
【０００５】
【特許文献１】特開２００２−１８４２２５号公報
【発明の概要】
【発明が解決しようとする課題】
【０００６】
ＬＥＤのような点光源を用いたサイドライト方式のバックライトを用いると、液晶表示装置の表示領域のうち、入光面の近傍に対応する領域では、いずれかの点光源に近い部分が明るくなり、いずれの点光源からも遠い部分が暗くなる現象（いわゆる輝度むら）が生じるという問題があった。このため、例えば入光面と表示領域とを一定程度離す必要が生じていた。
【０００７】
本発明は上記課題を鑑みてなされたものであって、その目的は、出光面のうち入光面の近傍における輝度むらを軽減した導光板およびそれを用いた液晶表示装置を提供することにある。
【課題を解決するための手段】
【０００８】
本出願において開示される発明のうち、代表的なものの概要を簡単に説明すれば、以下
の通りである。
【０００９】
（１）光を出射する出光面、前記出光面に対向する反射面、および前記出光面に対する一側面であって光が入光される入光面を含む導光板と、前記導光板の出光面に対向して配置される液晶パネルと、前記入光面に光を入射させる複数の光源と、を含み、前記導光板の前記入光面からみて前記複数の光源のうち隣り合う２つの光源の中間部の前方の出光面あるいは前記反射面上に、それぞれが前記入光面に交差する第１の方向に延びる線状突起である複数の局所域線状突起が並んで設けられ、前記局所域線状突起は、前記導光板内の光の前記第１の方向と直交する成分を弱めるよう反射し、前記局所域線状突起の端のうち前記入光面に遠い端は、表示領域に対応する前記出光面の出光領域の前記入光面から遠い端より当該入光面に近い位置に設けられ、前記複数の局所域線状突起のうち前記隣り合う２つの光源から最も遠いものの前記入光面に遠い端と前記入光面との距離は、前記複数の局所域線状突起のうち前記隣り合う２つの光源のいずれかに最も近いものの前記入光面に遠い端と前記入光面との距離より大きい、ことを特徴とする液晶表示装置。
【００１０】
（２）（１）において、前記出光面上の領域であって、前記入光面より一定以上離れかつ前記局所域線状突起が配置されない領域にそれぞれ前記第１の方向に延びる線状突起である複数の広域線状突起が並んで設けられ、前記広域線状突起は、前記導光板内の光の前記第１の方向と直交する成分を前記局所域線状突起に比べて弱めないよう反射する、ことを特徴とする液晶表示装置。
【００１１】
（３）（２）において、前記広域線状突起および前記局所域線状突起の断面は円弧状であり、前記局所域線状突起の中心角は前記広域線状突起の中心角より大きい、ことを特徴とする液晶表示装置。
【００１２】
（４）（２）において、前記広域線状突起および前記局所域線状突起の断面はＶ字状であり、前記局所域線状突起と前記出光面とのなす角は、前記広域線状突起と前記出光面とのなす角より大きい、ことを特徴とする液晶表示装置。
【００１３】
（５）（１）から（４）のいずれかにおいて、前記複数の局所域線状突起のうち前記隣り合う２つの光源から最も遠いものの長さは、前記複数の局所域線状突起のうち前記２つの光源のいずれかに最も近いものの長さより大きい、ことを特徴とする液晶表示装置。
【００１４】
（６）（１）から（５）のいずれかにおいて、前記局所域線状突起は、前記出光面のうち前記出光領域と前記入光面との間に配置される、ことを特徴とする液晶表示装置。
【００１５】
（７）液晶表示装置に用いられる導光板であって、表示に用いられる光を出射させる出光領域を含む出光面、前記出光面に対向する反射面、および前記出光面に対する一側面であって複数の光源から光が入光される入光面を含み、前記入光面からみて前記複数の光源のうち隣り合う２つの光源の中間部の前方の出光面あるいは前記反射面上に、それぞれが前記入光面に交差する第１の方向に延びる線状突起である複数の局所域線状突起が並んで設けられ、前記局所域線状突起は、前記入光された光の前記第１の方向と直交する成分を弱めるよう反射し、前記局所域線状突起の端のうち前記入光面に遠い端は、出光領域の前記入光面から遠い端より当該入光面に近い位置に設けられ、前記複数の局所域線状突起のうち前記隣り合う２つの光源から最も遠いものの前記入光面に遠い端と前記入光面との距離は、前記複数の局所域線状突起のうち前記隣り合う２つの光源のいずれかに最も近いものの前記入光面に遠い端と前記入光面との距離より大きい、ことを特徴とする導光板。
【発明の効果】
【００１６】
本発明によれば、導光板の出光面のうち入光面の近傍における輝度むらを軽減することができる。それにより、例えば液晶表示装置のいわゆる額縁領域をより狭くすることが可能となる。
【図面の簡単な説明】
【００１７】
【図１】本発明の実施形態にかかる液晶表示装置の一例を概略的に示す図である。
【図２】本発明の実施形態にかかる液晶表示装置の一例を示す断面図である。
【図３】本発明の実施形態にかかる導光板の一例を概略的に示す図である。
【図４】図３に示す導光板の部分拡大図である。
【図５】図３に示す導光板の部分平面図である。
【図６】図５のIV−IV切断線における断面図である。
【図７】光が導光板内で進む向きを概略的に示す図である。
【図８】本実施形態にかかる液晶表示装置から出射する光の強さの表示領域内の変化を示す図である。
【図９】従来の液晶表示装置の表示領域から出射する光の強さの表示領域内の変化を示す図である。
【図１０】出光面に設けられる線状突起の他の例を示す断面図である。
【図１１】本発明の実施形態にかかる導光板の他の一例を概略的に示す図である。
【図１２】本発明の実施形態にかかる導光板の他の例を概略的に示す図である。
【図１３】従来の導光板の一例を示す図である。
【発明を実施するための形態】
【００１８】
以下では、本発明の実施形態について図面に基づいて説明する。出現する構成要素のうち同一機能を有するものには同じ符号を付し、その説明を省略する。
【００１９】
図１は本発明の実施形態にかかる液晶表示装置９００の一例を概略的に示す図である。本図に示されるように、液晶表示装置９００は、液晶パネル８００と、バックライト装置９５０と、制御回路８４２とにより構成されている。
【００２０】
液晶パネル８００は、アレイ基板８３０とカラーフィルタ基板８２０の２枚の基板により構成され、これらの基板の間には液晶が封止されている。アレイ基板８３０には、駆動回路８３２，８３３と、図中左右方向に延びる複数のゲート信号線８３７と、図中上下方向に延びる複数のドレイン信号線８３５とが配置されている。駆動回路８３２は複数のゲート信号線８３７と接続されており、ゲート信号線８３７のそれぞれを制御する。また駆動回路８３３は複数のドレイン信号線８３５と接続されており、ドレイン信号線８３５のそれぞれを制御する。図１の二点鎖線で囲まれた領域は表示領域８１５である。ゲート信号線８３７およびドレイン信号線８３５は表示領域８１５をマトリクス状に分割しており、その分割されたそれぞれの領域は画素回路８１０を形成している。各画素回路８１０には薄膜トランジスタや画素電極が形成されている。なお、図１は構成を簡略化して示しており、特に画素回路８１０、ゲート信号線８３７およびドレイン信号線８３５の数は実際より少なくなっている。実際には液晶表示装置９００は、その解像度に応じた数の画素回路８１０、ゲート信号線８３７およびドレイン信号線８３５を含んでいる。
【００２１】
この液晶パネル８００は、アレイ基板８３０にのみに電極が設けられたＩＰＳ（In Plane Switching）方式、並びに、アレイ基板８３０及びカラーフィルタ基板８２０の両方に電極が設けられたＴＮ（Twisted Nematic）方式及びＶＡ（Vertical Alignment）方式のうちのいずれの方式であってもよい。
【００２２】
バックライト装置９５０は、導光板１００と、モールド９２０と、ＬＥＤ光源６０と、ＬＥＤ光源６０が取り付けられたフレキシブル基板８４５とを有している。導光板１００のうち表示領域８１５に対応して表示に用いられる光を出光させる部分が出光領域１４０である。制御回路８４２は、フレキシブル基板８４０に実装されている。制御回路８４２は制御線８５４を介して接続される駆動回路８３２，８３３を制御し、液晶パネル８００の動作を制御する。また制御回路８４２は制御線８５５を介してＬＥＤ光源６０を制御する。ＬＥＤ光源６０は発光ダイオードモジュールを含む点光源である。液晶パネル８００の表示領域８１５および導光板１００の出光領域１４０は長方形であり、それらの向きがあうように液晶パネル８００と、バックライト装置９５０とが重ね合わせられている。以下では表示領域８１５および出光領域１４０の長方形の長辺の延びる向きを長辺方向、短辺の延びる向きを短辺方向と記載する。
【００２３】
図２は、本発明の実施形態にかかる液晶表示装置９００の一例を示す断面図である。本図に示されるように、液晶表示装置９００は、図１で示した構成に加え、導光板１００から出射された光を一様に拡散する拡散シート９０４と、拡散された光の向きを整えるプリズムシート９０５と、一方向の成分のみの光を通過させる偏光板９０８及び９０９と、を備えている。本実施形態のこの例ではプリズムシート９０５は出光領域１４０から出射する光の長辺方向の成分のばらつきを抑えるために設けられている。なお、プリズムシート９０５と偏光板９０９との間に短辺方向の光の成分のばらつきを抑えるためのプリズムシートをさらに設けてもよい。
【００２４】
図３は本発明の実施形態にかかる導光板１００の一例を概略的に示す図である。導光板１００は、液晶パネル８００に向けて光を出射する出光面１２０と、出光面１２０に対向する反射面１３０と、出光面１２０に対する一側面である入光面１１０とを有する。出光面２２０側から見て導光板１００の形状は長方形であり、入光面１１０はその長方形の対向する短辺のうち一辺に相当する。複数のＬＥＤ光源６０は、入光面１１０の外側に、その短辺の延びる向きに並んで設けられている。おり、ＬＥＤ光源６０のそれぞれは入光面１１０に光を入射させる。反射面１３０には、出光面１２０から出光する光の長辺方向のむらを抑えるように反射パターン１３１が設けられている。
【００２５】
出光面１２０の上には、それぞれ入光面１１０と交差する方向であって長方形の長辺方向（第１の方向）に延びる線状の突起である複数の広域線状突起１２１と複数の局所域線状突起１２２とが設けられている。ここで、第１の方向は本実施形態の例では入光面１１０に垂直な方向である。図４は図３に示す導光板の部分拡大図であり、図５は図３に示す導光板の部分平面図である。広域線状突起１２１は、出光面１２０上を、入光面１１０に対向する側面の近傍から、入光面１１０に対応する辺（以下では「光源側の辺」と記す）に向かって延びている。光源側の辺のうちＬＥＤ光源６０の中心つまり点光源の中心からの距離が、ある距離より短い区間に向かって延びている広域線状突起１２１は、入光面１１０と一定の間隔ＣＬとなる位置まで延びている。
【００２６】
一方、光源側の辺のうち前述の区間以外の区間に向かって延びる広域線状突起１２１については、その入光面１１０側の端が、入光面１１０から間隔ＣＬより遠い位置にある。それらの広域線状突起１２１より入光面１１０に近い出光面１２０上の領域には、局所域線状突起１２２が形成されている。また局所域線状突起１２２の入光面１１０側の端と入光面１１０との間隔は、その間隔ＣＬより狭くなっている。入光面１１０からみると、隣り合う点光源の中間部の前方の出光面１２０上に局所域線状突起１２２が配置され、その局所域線状突起１２２のさらに前方と、点光源の中間部以外の前方とに広域線状突起１２１が配置される。
【００２７】
また図４および図５の例では、広域線状突起１２１の入光面１１０側の端と局所域線状突起１２２の入光面１１０と反対側の端とが隣りあっており、見方を変えると、広域線状突起１２１が形成される出光面１２０上の領域に、局所域線状突起１２２が形成される出光面１２０上の領域が食い込んでいる。見方を変えれば、出光面１２０上の領域であって、入光面１１０より一定以上離れかつ局所域線状突起１２２が配置されない領域にそれぞれ第１の方向に延びる線状突起である複数の広域線状突起１２１が並んでいるともいえる。また局所域線状突起１２２は出光領域１４０のうち入光面１１０と反対側の一辺より入光面１１０側に設けられており、本実施形態の例では特に出光領域１４０と入光面１１０との間に設けられている。
【００２８】
局所域線状突起１２２の入光面１１０と反対側の端（図中上端と記載する）と入光面１１０との距離は、局所域線状突起１２２と点光源との位置関係により決まっている。表示領域８１５が暗くなりやすい位置に向かって延びるほど、局所域線状突起１２２の図中上端と入光面１１０との距離が大きくなる傾向がある。それにより、複数の局所域線状突起１２２のうち隣り合う２つのＬＥＤ光源６０から最も遠いものは、それらのＬＥＤ光源６０のいずれかに最も近いものより、その距離が大きくなる。ここで、図４および図５の例では局所域線状突起１２２の入光面１１０側の端と入光面１１０との距離が一定であるため、複数の局所域線状突起１２２のうち隣り合う２つのＬＥＤ光源６０から最も遠いものは、それらのＬＥＤ光源のいずれかに最も近いものより、その長さも大きくなる。なお、局所域線状突起１２２のさらなる詳細な配置については、図５に示すようなものであり、実験的に最適な配置を求めていくとよい。
【００２９】
ここで、広域線状突起１２１および局所域線状突起１２２は、導光板内を全反射して進む光の第１の方向と直交する成分を弱めるよう反射する特性がある。このような特性をもつものとして例えば円弧状のシリンドリカルレンズがある。図６は図５のIV−IV切断線における断面図である。この断面は、第１の方向に垂直である。本図に示すように、局所域線状突起１２２を構成するシリンドリカルレンズの接触角Ｒ２は、広域線状突起１２１を構成するシリンドリカルレンズの接触角Ｒ１より大きい。ここで、接触角はシリンドリカルレンズが出光面と接触する位置における出光面とシリンドリカルレンズの接線との角度のことである。これは、局所域線状突起１２２を構成するシリンドリカルレンズの中心角が、広域線状突起１２１を構成するシリンドリカルレンズの中心角より大きいことを意味する。シリンドリカルレンズを用いた線状突起では、その接触角が大きいほど、反射する光の線状突起が延びる方向と直交する成分を弱める力が大きくなる。つまり、局所域線状突起１２２は、導光板内の光の第１の方向と直交する成分を広域線状突起１２１が反射する場合より弱めるよう反射する。
【００３０】
これらの構造により、導光板１００から出射する光によって表示領域に現れる輝度むらが軽減される。これには、導光板１００内を進む光の第１の方向と直交する成分が抑えられることが関連している。元々、表示領域８１５において輝度が低くなりやすい位置に対応する出光領域１４０内の領域は、点光源の中間部の前方かつ入光面１１０の近傍であり、この領域ではＬＥＤ光源６０から入射する光の第１の方向と直行する成分が大きくなる傾向がある。本発明の実施形態にかかる導光板１００では、これらの領域に到達する光の進行方向を第１の方向により近くする効果がある。図７は導光板１００内を進む光の向きを概略的に示す図である。隣り合う２つのＬＥＤ光源６０の中央に近い局所域線状突起１２２に向かう光も、局所域線状突起１２２により第１の方向により近い向きになっている。
【００３１】
図８は、本実施形態にかかる液晶表示装置９００から出射する光の強さの表示領域８１５内の変化を示す図である。本図では表示領域８１５の第１の方向と直交する方向（横方向：Horizontal）の相対輝度（Relative Luminance）の変化について、表示領域８１５のうち入光面１１０に近い端からの間隔が３ｍｍのものと９ｍｍのものとについて示している。相対輝度は画面全体の平均輝度を１００とした場合の数値である。本発明による効果は、本発明を適用していない場合の結果と比べると一目瞭然である。図９は、従来の液晶表示装置の表示領域８１５から出射する光の強さの表示領域８１５内の変化を示す図である。表示領域８１５のうち入光面に近い部分での横方向の輝度むらが大幅に抑制されていることがわかる。
【００３２】
光の第１の方向と直行する成分が弱まることにより輝度むらが小さくなる理由としては、例えば、出光面１２０から出射する光の方向が揃うことによりプリズムシート９０５に入射する光の方向が同じになり、表示パネルの法線方向に向かう光の量の差が縮まったためと考えられる。他には、例えば表示が暗くなりやすい領域で全反射する光の量が抑えられ、より多くの光が出射されることも考えられる。
【００３３】
ここで、広域線状突起１２６および局所域線状突起１２７として、Ｖ字状の断面形状を有する線状突起を用いてもよい。図１０は出光面１２０に設けられる線状突起の他の例を示す断面図である。局所域線状突起１２７を構成するＶ字のいずれかの面と出光面１２０との角度Ｒ４は、広域線状突起１２６のＶ字状を構成するいずれかの面と出光面１２０との角度Ｒ３より大きい。こうすると、局所域線状突起１２７は、導光板内の光の第１の方向と直交する成分を広域線状突起１２６が反射する場合より弱めるよう反射する。
【００３４】
また、局所域線状突起１２２と広域線状突起１２１との間が離れていてもよい。図１１は、本発明の実施形態にかかる導光板１００の他の一例を概略的に示す図である。図１１の例では、局所域線状突起１２２の入光面１１０側の端と入光面１１０との間隔が図４の例に比べ狭くなっており、その分、広域線状突起１２１の入光面１１０側の端と局所域線状突起１２２の入光面と反対側の端との間が大きくなっている。本図の例でも、局所域線状突起１２２を通過しようとする光の方向が第１の方向に揃えられ、輝度が低くなりやすい位置に到達する光の方向が第１の方向により近くなる。
【００３５】
また、局所域線状突起１３２を導光板１００の反射面１３０に設けてもよい。図１２は本発明の実施形態にかかる導光板の他の例を概略的に示す図である。導光板１００の反射面１３０には、反射パターン１３１と局所域線状突起１３２とが形成されている。反射パターン１３１はより具体的には第１の方向と直交する方向に延びる溝や突起である。広域線状突起１２１は、入光面１１０から見て隣り合う２つのＬＥＤ光源６０の中間部の前方にある反射面１３０上に設けられている。局所域線状突起１３２が出光領域１４０に相当する位置より入光面１１０側にある場合には、このような構造でも効果が得られる。
【符号の説明】
【００３６】
６０  ＬＥＤ光源、１００，２００  導光板、１１０，２１０  入光面、１２０，２２０  出光面、１２１，１２６  広域線状突起、１２２，１２７，１３２  局所域線状突起、１３０  反射面、１３１  反射パターン、１４０  出光領域、２２１  線状突起、８００  液晶パネル、８１０  画素回路、８１５  表示領域、８２０  カラーフィルタ基板、８３０  アレイ基板、８４０，８４５  フレキシブル基板、８３２，８３３  駆動回路、８３５  ドレイン信号線、８３７  ゲート信号線、８４２  制御回路、８５４，８５５  制御線、９００  液晶表示装置、９０４  拡散シート、９０５  プリズムシート、９０８，９０９  偏光板、９２０  モールド、９５０  バックライト装置。
【図１】
0005280428.tif 000002
【図２】
0005280428.tif 000003
【図３】
0005280428.tif 000004
【図４】
0005280428.tif 000005
【図５】
0005280428.tif 000006
【図６】
0005280428.tif 000007
【図７】
0005280428.tif 000008
【図８】
0005280428.tif 000009
【図９】
0005280428.tif 000010
【図１０】
0005280428.tif 000011
【図１１】
0005280428.tif 000012
【図１２】
0005280428.tif 000013
【図１３】
0005280428.tif 000014